【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
内側ハウジングであって、
第１の頂壁、
本質的に円筒形の第１の側壁、
前記第１の側壁によって形成され、無針コネクタのハブを受け入れるための前記内側ハウジング内の内部空洞への開口を有する、開放底部、および
前記第１の側壁の内側側壁表面の少なくとも１つのキャップねじ山であって、前記無針コネクタの前記ハブの嵌合機能と連結するのに十分である、キャップねじ山、
を含む、内側ハウジングと、
外側ハウジングであって、
前記第１の頂壁より上に構成される第２の頂壁、および
前記第１の側壁を本質的に取り囲むように構成される本質的に円筒形の第２の側壁、
を含む、外側ハウジングと、
安全インターフェースであって、
前記第１の頂壁の外表面に構成される第１の部分、および
前記第２の頂壁の内表面に構成される第２の部分、
を含む、安全インターフェースと、を含み、
前記安全インターフェースは、前記第１の頂壁および前記第２の頂壁が互いに向かって付勢されならびに前記第１の部分および前記第２の部分が係合するとき、前記外側ハウジングの回転運動を、同一回転方向の前記内側ハウジングの回転運動に変換することを特徴とするコネクタキャップ。
【請求項２】
前記安全インターフェースの前記第１の部分は、少なくとも１つの第１の突出部を含み、および前記安全インターフェースの前記第２の部分は、少なくとも１つの第２の突出部を含むことを特徴とする請求項１に記載のコネクタキャップ。
【請求項３】
前記第１の突出部および前記第２の突出部のうちの少なくとも１つは、傾斜面および垂直面を含むことを特徴とする請求項２に記載のコネクタキャップ。
【請求項４】
前記第１の突出部は、前記第１の頂壁の前記外表面に対して本質的に垂直な第１の垂直面および前記第１の頂壁の前記外表面に対して鋭角な第１の傾斜面を含み、および
前記第２の突出部は、前記第２の頂壁の前記内表面に対して本質的に垂直な第２の垂直面および前記第２の頂壁の前記内表面に対して鋭角な第２の傾斜面を含むことを特徴とする請求項２に記載のコネクタキャップ。
【請求項５】
前記内側ハウジングは、内側ハウジング保持機能を含み、および
前記外側ハウジングは、外側ハウジング保持機能を含み、
前記内側ハウジング保持機能および前記外側ハウジング保持機能は、前記外側ハウジングを前記内側ハウジング上に固定するように係合しおよび前記安全インターフェースの前記第１の部分および前記安全インターフェースの前記第２の部分が係合されていないときに前記内側ハウジングに関する前記外側ハウジングの回転運動を可能にするように構成されることを特徴とする請求項１から４のいずれか一項に記載のコネクタキャップ。
【請求項６】
前記内側ハウジング保持機能は、前記内側ハウジングの前記第１の側壁の外表面に突出部を含み、および
前記外側ハウジング保持機能は、前記外側ハウジングの前記第２の側壁の内表面に凹部を含み、
前記突出部および前記凹部は、前記外側ハウジングを前記内側ハウジング上に固定するように係合するように構成されることを特徴とする請求項５に記載のコネクタキャップ。
【請求項７】
前記内側ハウジング保持機能は、前記第１の頂壁の前記内側ハウジングの外表面に第１のラッチング突出部を含み、および
前記外側ハウジング保持機能は、前記外側ハウジングの内表面の前記第２の頂壁に第２のラッチング突出部を含み、
前記第１のラッチング突出部および前記第２のラッチング突出部は、前記外側ハウジングを前記内側ハウジング上に固定するようにラッチするように構成されることを特徴とする請求項５または６に記載のコネクタキャップ。
【請求項８】
前記外側ハウジングの前記第２の頂壁は、前記第２の頂壁を通って延び空気が前記外側ハウジングを通過することを可能にする少なくとも１つの開口を含むことを特徴とする請求項１から７のいずれか一項に記載のコネクタキャップ。
【請求項９】
前記内側ハウジングおよび前記外側ハウジングは、前記空気が前記少なくとも１つの開口を通過して前記外側ハウジングの内表面と前記内側ハウジングの外表面との間を通過することを可能にするように構成されることを特徴とする請求項８に記載のコネクタキャップ。
【請求項１０】
前記外側ハウジングへの回転力の印加は、
前記外側ハウジングの前記回転運動を引き起こし、および
前記安全インターフェースの前記第２の部分を前記安全インターフェースの前記第１の部分と係合させて、前記外側ハウジングの前記回転運動を前記内側ハウジングの前記回転運動に変換して、前記内側ハウジングをねじ式に回転させて、前記キャップねじ山を前記無針コネクタの前記ハブの前記嵌合機能と連結させることを特徴とする請求項１から９のいずれか一項に記載のコネクタキャップ。
【請求項１１】
前記内側ハウジングの方向における前記外側ハウジングへの軸方向力の印加は、前記安全インターフェースの前記第２の部分が前記安全インターフェースのその第１の部分と係合することを促進することを特徴とする請求項１０に記載のコネクタキャップ。
【請求項１２】
前記内側ハウジングの方向における前記外側ハウジングへの軸方向力の連続的な印加は、前記安全インターフェースの前記第２の部分を前記安全インターフェースのその第１の部分と締り嵌めの状態で係合させ、および
前記外側ハウジングへの回転力の印加は、
前記外側ハウジングの前記回転運動を引き起こし、および
前記安全インターフェースの前記第２の部分を前記安全インターフェースの前記第１の部分と係合させ続けて、前記外側ハウジングの前記回転運動を前記内側ハウジングの前記回転運動に変換して、前記内側ハウジングをねじ式に回転させて、前記キャップねじ山を前記無針コネクタの前記ハブの前記嵌合機能から取り外すことを特徴とする請求項１から９のいずれか一項に記載のコネクタキャップ。
【請求項１３】
前記内部空洞内に構成される殺菌スポンジ、および
前記キャップの使用前に前記内部空洞内の前記スポンジをシールするための、前記内部空洞の前記開口をシールする取り外し可能カバー、
をさらに含み、
前記キャップねじ山は、前記無針コネクタの前記嵌合機能に対応しないことを特徴とする請求項１から１２のいずれか一項に記載のコネクタキャップ。
【請求項１４】
前記キャップねじ山の大径、小径、ピッチ、ねじ山部分輪郭、およびねじ山の数のうちの少なくとも１つは、前記ハブの前記嵌合機能に対応しないことを特徴とする請求項１３に記載のコネクタキャップ。
【請求項１５】
前記側壁の前記内側側壁表面の少なくとも１つのキャップねじ山は、前記無針コネクタの前記嵌合機能との前記連結を容易にするために、前記キャップねじ山の少なくとも部分に形成された突出部を含むことを特徴とする請求項１３に記載のコネクタキャップ。
【請求項１６】
前記少なくとも１つのキャップねじ山の少なくとも一部は、前記無針コネクタの前記嵌合機能と係合しない非係合部分を含むことを特徴とする請求項１３に記載のコネクタキャップ。
【請求項１７】
前記キャップねじ山は、
前記無針コネクタの前記嵌合機能との前記連結を容易にするために前記キャップねじ山の少なくとも部分に形成された少なくとも１つの連結部分と、
前記無針コネクタの前記嵌合機能と係合しない少なくとも１つの非係合部分と、
を含むことを特徴とする請求項１３に記載のコネクタキャップ。
【請求項１８】
前記キャップねじ山は、
第１の開始ねじ山パスであって、大外形、小外形、ピッチ、および第１のねじ山部分輪郭を有する、第１の開始ねじ山パス、
少なくとも１つの第２の開始ねじ山パスであって、大外形、小外形、ピッチ、および第２のねじ山部分輪郭を有する、第２の開始ねじ山パス、
を含み、
前記第１のねじ山部分輪郭および前記第２のねじ山部分輪郭は、異なることを特徴とする請求項１３に記載のコネクタキャップ。